(57)【要約】      （修正有）【課題】柱間に設ける筋交いが不要になり、窓・出入口等を設ける場合の障害を取り除くことができる鋼製枠を提供する。【解決手段】縦、横方向の鋼材で構成した枠であって、この枠材を木造骨組みの柱間にボルトで堅固に取り付けることにより、骨組みが地震・台風等の水平方向の力を受けた場合でも、骨組みが変形倒壊することを防止する。【選択図】図１
0003112921.tif 000002
【実用新案登録請求の範囲】
【請求項１】
縦および横方向の鋼材を使用して、門形ないしはロ形の枠材を構成し、木造家屋の骨組みの柱間に組み込む、このとき縦および横方向鋼材の接合部が容易に変形することのないように、溶接ないしはボルトを使用して堅固に接合する。
【考案の詳細な説明】
【技術分野】
【０００１】    本考案は、木造家屋の骨組みが地震又は台風等によって水平方向に変形することを防止することを目的として、鋼製の門形ないしはロ形の枠部材を木造家屋骨組みの柱間に取付けることに関する。
【背景技術】
【０００２】木造家屋が地震・台風等の作用を受けて倒壊することを防止するために、従来工法では木造家屋の柱間要所に木製の斜め部材で構成した筋交いを設ける。【０００３】    ところが、木製の斜め部材（筋交い）を壁面に取付けることによって、窓、出入口等を計画する場合の大きな障害となる。
【考案の開示】
【考案が解決しようとする課題】
【０００４】上述のごとく、従来技術では木造家屋が水平方向に変形することを防止するために、骨組みの柱と柱の中間に（筋交い）と称される斜部材を設けている。【０００５】本考案では、柱間の筋交いに代えて、鋼材で構成した門形ないしはロ形の枠部材を壁面柱間に取付けることにより、建物が水平方向に変形することを防止する。【０００６】    従って、柱間に設ける筋交いが不要になり、窓・出入口等を設ける場合の障害を取り除くことができる。
【考案の効果】
【０００７】    住宅の一階にガレージを計画する場合には、車の出入りのための、間口の広い開口部が必要とされる、従来工法では筋交いが優先されるために、ガレージの設置を諦めるケースが多くみられた。【０００８】    この場合に、本考案による鋼製枠をガレージの開口部に設けることにより、従来工法では不可能であったケースでも、ガレージを計画することが可能になる。
【考案を実施するための最良の形態】
【０００９】    以下、本考案の実施の形態を図面に基づき詳細に説明する。【００１０】    図１は本考案による鋼製枠部材を木造骨組みの壁面に取付けた状態を外観斜視図で示している。【００１１】    図２は従来工法による斜め部材を柱間に取付けた状態を外観斜視図で示している。【００１２】    図１では、本考案による鋼製枠を柱間に取付けているために、斜め部材が不要であり、従って柱間に窓、出入り口を自由に設置することが可能になっている。【００１３】    一方、図２に示す従来工法では、斜め部材が障害になるためにこの柱間に窓、出入り口等を設置することができない。
【産業上の利用可能性】
【００１４】    木造家屋を計画する場合に、従来工法では窓、出入り口の位置が筋交い部材によって、制約されていたが、本考案による鋼製枠部材を利用することによって、好みの位置に窓、出入り口を設置することが可能になり、設計の自由度が大きく向上する。
【図面の簡単な説明】
【００１５】
【図１】    本考案による鋼製枠部材を木造骨組みに組み込んだ状態を示す。
【図２】    従来工法による筋交いを木造骨組みに組み込んだ状態を示す。
【符号の説明】
【００１６】１    鋼製枠縦方向部材
２    鋼製枠横方向部材
３    取付け用ボルト
４    コンクリート基礎
５    木造骨組みの柱
６    木造骨組みの梁
７    木製筋交い部材
【図１】
0003112921.tif 000003
【図２】
0003112921.tif 000004
【手続補正書】
【提出日】平成17年5月13日(2005.5.13)
【手続補正１】
【補正対象書類名】実用新案登録請求の範囲
【補正対象項目名】全文
【補正方法】変更
【補正の内容】
【実用新案登録請求の範囲】
【請求項１】
縦および横方向の鋼材を使用して、門形ないしはロ形に構成し、木造家屋の骨組みの柱間に組み込み、骨組みに水平方向の抵抗力を与えることが出来る鋼製の枠。
【手続補正２】
【補正対象書類名】明細書
【補正対象項目名】全文
【補正方法】変更
【補正の内容】
【考案の詳細な説明】
【０００１】    本考案は、木造家屋の骨組みが地震又は台風等によって水平方向に変形することを防止することを目的として、木造家屋骨組みの柱間に組み込むように考案された鋼製枠に関する。
【背景技術】
【０００２】木造家屋が地震・台風等の作用を受けて倒壊することを防止するために、従来工法では木造家屋の柱間要所に木製の斜め部材で構成した筋交いを設ける。【０００３】    ところが、木製の斜め部材（筋交い）を壁面に取付けることによって、窓、出入口等を計画する場合の大きな障害となる。
【考案の開示】
【考案が解決しようとする課題】
【０００４】上述のごとく、従来技術では木造家屋が水平方向に変形することを防止するために、骨組みの柱と柱の中間に（筋交い）と称される斜部材を設けている。【０００５】本考案では、柱間の筋交いに代えて、該当する鋼製枠を組み込むことによって、建物が水平方向に変形することを防止する。【０００６】    従って、柱間に設ける筋交いが不要になり、窓・出入口等を設ける場合の障害を取り除くことができる。
【考案の効果】
【０００７】    住宅の一階にガレージを計画する場合には、車の出入りのための、間口の広い開口部が必要とされる、従来工法では筋交いが優先されるために、ガレージの設置を諦めるケースが多くみられた。【０００８】    この場合に、本考案による鋼製枠をガレージの開口部に設けることにより、従来工法では不可能であったケースでも、ガレージを計画することが可能になる。
【考案を実施するための最良の形態】
【０００９】    以下、本考案の実施の形態を図面に基づき詳細に説明する。【００１０】    図１は本考案による鋼製枠を木造骨組みの壁面に取付けた状態を外観斜視図で示している。【００１１】    図２は従来工法による斜め部材を柱間に取付けた状態を外観斜視図で示している。【００１２】    図１では、本考案による鋼製枠を柱間に取付けているために、斜め部材が不要であり、従って柱間に窓、出入り口を自由に設置することが可能になっている。【００１３】    一方、図２に示す従来工法では、斜め部材が障害になるためにこの柱間に窓、出入り口等を設置することができない。
【産業上の利用可能性】
【００１４】    木造家屋を計画する場合に、従来工法では窓、出入り口の位置が筋交い部材によって、制約されていたが、本考案による鋼製枠を利用することによって、好みの位置に窓、出入り口を設置することが可能になり、設計の自由度が大きく向上する。
【図面の簡単な説明】
【００１５】
【図１】本考案による鋼製枠を木造骨組みに組み込んだ状態を示す。
【図２】従来工法による筋交いを木造骨組みに組み込んだ状態を示す。
【符号の説明】
【００１６】１該当する鋼製枠２木造建物の骨組み３従来工法による筋交い部材
【手続補正３】
【補正対象書類名】図面
【補正対象項目名】全図
【補正方法】変更
【補正の内容】
【図１】
0003112921.tif 000005
【図２】
0003112921.tif 000006